(57)【要約】【課題】単一構造のブラケットの設置面に対する取付方向に対して種類の異なる座板にそれぞれ固定的な方向設定と角度調節可能な方向設定ができると共に、設定が容易な手摺ブラケットと座板との位置決め装置を提供すること。【解決手段】手摺ブラケット２の基部底面４には、固定ボルト用透孔５を内包すると共に、平面上で固定ボルト用透孔の軸線を中心とする所定半径の円弧とこの中心から離れた位置を中心とする同半径の円弧とこれら２個の円弧を結ぶ２接線とが描く小判状凹陥部６が凹設され、小判状凹陥部は、対応する小判形の底面を有する小判状突起部８を具備する第一座板１ａの小判状突起部が嵌合できると共に、固定ボルト用透孔の軸線を中心とする所定半径の円形に対応する円形底面を有する円筒状突起部１２を具備する第二座板１ｂの円筒状突起部が嵌合できる空間を有する。【選択図】図１
2006241814.tif 000002
【特許請求の範囲】
【請求項１】
設置面に座板を介して手摺ブラケットが固定ボルトによって固着される手摺ブラケットと座板との位置決め装置において、該手摺ブラケットの平面状をなす基部底面には、固定ボルト用透孔を内包すると共に、平面上で該固定ボルト用透孔の軸線を中心とする所定半径の円周と該円周から外方に膨出する膨出面とが描く膨出部付円筒内包凹陥部が凹設され、該膨出部付円筒内包凹陥部は、該膨出部付円筒内包凹陥部に対応する膨出面付円形の底面を有すると共に該固定ボルト用透孔に連通する第一通孔が穿設された膨出部付円筒内包突起部を具備する第一座板の該膨出部付円筒内包突起部が嵌合できると共に、該固定ボルト用透孔の軸線を中心とする該所定半径の円形に対応する円形底面を有すると共に該固定ボルト用透孔に連通する第二通孔が穿設された円筒状突起部を具備する第二座板の該円筒状突起部が嵌合できる空間を有することを特徴とする手摺ブラケットと座板との位置決め装置。
【請求項２】
設置面に座板を介して手摺ブラケットが固定ボルトによって固着される手摺ブラケットと座板との位置決め装置において、該手摺ブラケットの平面状をなす基部底面には、固定ボルト用透孔を内包すると共に、平面上で該固定ボルト用透孔の軸線を中心とする所定半径の円周と該中心から離れた位置を中心とする同半径の円周と該２個の円周を結ぶ２接線とが囲む小判状凹陥部が凹設され、該小判状凹陥部は、該小判状凹陥部に対応する小判形の底面を有すると共に該固定ボルト用透孔に連通する第一通孔が穿設された小判状突起部を具備する第一座板の該小判状突起部が嵌合できると共に、該固定ボルト用透孔の軸線を中心とする該所定半径の円形に対応する円形底面を有すると共に該固定ボルト用透孔に連通する第二通孔が穿設された円筒状突起部を具備する第二座板の該円筒状突起部が嵌合できる空間を有することを特徴とする手摺ブラケットと座板との位置決め装置。
【発明の詳細な説明】
【技術分野】
【０００１】
本発明は、手摺桿を支持するブラケットとブラケット基部に配置されるブラケットの座板との位置決め装置に関する。
【背景技術】
【０００２】
手摺桿は通常建造物等の壁面や建造物に立設された支柱側面等の設置面に固着されたブラケットに取付けられて支持される事例が多いが、このような場合に、設置面にブラケット基部を直接固着する手段が採用される一方、ブラケット基部に座板を介して固着する手段も採用され、特に手摺桿に加わる外力を設置面に広く伝達しようとする場合には、座板を介して固着する手段が広く採用されている。そして設置面に対してブラケットも座板も構造上または意匠上の方向性を有するものであり、座板の位置とブラケットの位置とを固定的に一致させて設置される構造が従来から案出されている（例えば、特許文献１参照。）。しかしながら、座板の方向性とブラケットの方向性とが常に一致する設定に必然性を有するわけではなく、一定方向を向くブラケットに対して、ある場合には座板の固定的な方向に設定されることが必要であるが、又他の場合には座板は所定の固定的な方向ではない方向に設定されることが必要である場合も生じる。そしてそのような方向性の固定的な方向設定と角度調整可能な方向設定とを最小の部品で達成させるような手摺ブラケットと座板との位置決め装置は開発されていない。        
【０００３】
【特許文献１】特開２００３−３１４０２０号公報
【発明の開示】
【発明が解決しようとする課題】
【０００４】
本発明が解決しようとする課題は、単一構造のブラケットの設置面に対する取付方向に対して種類の異なる座板にそれぞれ固定的な方向設定と角度調節可能な方向設定ができると共に、設定が容易な手摺ブラケットと座板との位置決め装置を提供することにある。
【課題を解決するための手段】
【０００５】
前記課題を解決するために、本発明の手摺ブラケットと座板との位置決め装置では、設置面に座板を介して手摺ブラケットが固定ボルトによって固着される手摺ブラケットと座板との位置決め装置において、該手摺ブラケットの平面状をなす基部底面には、固定ボルト用透孔を内包すると共に、平面上で該固定ボルト用透孔の軸線を中心とする所定半径の円周と該円周から外方に膨出する膨出面とが描く膨出部付円筒内包凹陥部が凹設され、該膨出部付円筒内包凹陥部は、該膨出部付円筒内包凹陥部に対応する膨出面付円形の底面を有すると共に該固定ボルト用透孔に連通する第一通孔が穿設された膨出部付円筒内包突起部を具備する第一座板の該膨出部付円筒内包突起部が嵌合できると共に、該固定ボルト用透孔の軸線を中心とする該所定半径の円形に対応する円形底面を有すると共に該固定ボルト用透孔に連通する第二通孔が穿設された円筒状突起部を具備する第二座板の該状突起部が嵌合できる空間を有することを特徴とする。
【発明の効果】
【０００６】
本発明は、次のような効果を奏する。
Ａ．膨出部付円筒内包突起部又は小判状突起部を有する第一座板を介して手摺ブラケットを設定する場合には、手摺ブラケットの膨出部付円筒内包凹陥部又は小判形凹陥部に、第一座板の膨出部付円筒内包突起部又は小判状突起部が嵌合し、第一座板に対して手摺ブラケットは平面上の移動および回転が制限されるから、手摺ブラケットの方向性に対して固定的な方向で第一座板を設定することができる。第一座板と手摺ブラケットとの嵌合によって自ずから固定的な設定状態を得ることができるから付加的な調整作業なしに固着作業を遂行できる。
Ｂ．円筒状突起部を有する第二座板を介して手摺ブラケットを設定する場合には、手摺ブラケットの膨出部付円筒内包凹陥部又は小判状凹陥部に、第二座板の円筒状突起部が嵌合し、第二座板に対して手摺ブラケットは、平面上の移動設定は制限されるが回転は許容されるから、手摺ブラケットの方向性に対して自由な方向で第二座板を設定することができる。
Ｃ．単一構造のブラケットに対して、第一座板又は第二座板を使用することにより簡単な操作で固定的設定や自由設定ができるので、部品点数を増加させることなく、多数のブラケット設置個所で安価な施工ができる。
【発明を実施するための最良の形態】
【０００７】
設置面に座板を介して手摺ブラケットが固定ボルトによって固着される手摺ブラケットと座板との位置決め装置において、該手摺ブラケットの平面状をなす基部底面には、固定ボルト用透孔を内包すると共に、平面上で該固定ボルト用透孔の軸線を中心とする所定半径の円周と該円周から外方に膨出する膨出面とが描く膨出部付円筒内包凹陥部が凹設され、該膨出部付円筒内包凹陥部は、該膨出部付円筒内包凹陥部に対応する膨出面付円形の底面を有すると共に該固定ボルト用透孔に連通する第一通孔が穿設された膨出部付円筒内包突起部を具備する第一座板の該膨出部付円筒内包突起部が嵌合できると共に、該固定ボルト用透孔の軸線を中心とする該所定半径の円形に対応する円形底面を有すると共に該固定ボルト用透孔に連通する第二通孔が穿設された円筒状突起部を具備する第二座板の円筒状突起部が嵌合できる空間を有することを特徴とする。
又より具体的な態様として、設置面に座板を介して手摺ブラケットが固定ボルトによって固着される手摺ブラケットと座板との位置決め装置において、該手摺ブラケットの平面状をなす基部底面には、固定ボルト用透孔を内包すると共に、平面上で該固定ボルト用透孔の軸線を中心とする所定半径の円周と該中心から離れた位置を中心とする同半径の円周と該２個の円周を結ぶ２接線とが囲む小判状凹陥部が凹設され、該小判状凹陥部は、該小判状凹陥部に対応する小判形の底面を有すると共に該固定ボルト用透孔に連通する第一通孔が穿設された小判状突起部を具備する第一座板の該小判状突起部が嵌合できると共に、該固定ボルト用透孔の軸線を中心とする該所定半径の円形に対応する円形底面を有すると共に該固定ボルト用透孔に連通する第二通孔が穿設された円筒状突起部を具備する第二座板の該円筒状突起部が嵌合できる空間を有することを特徴とする。
何れの態様も、単一構造の手摺ブラケットに対して第一座板を固定的な方向に、第二座板を角度調節可能な方向に設定することができる。
【実施例】
【０００８】
本発明の実施例について添付図面を参照して説明する。
図５には、建造物の階段箇所が示され、階段Ｓに沿う壁面等の設置面Ｆには座板１，１…を介して固着された手摺ブラケット２，２…に手摺桿Ｒが取付けられている。各手摺ブラケット２はその外形が手摺桿Ｒの長さ方向と垂直に傾斜した方向に延び、また小判形をなす各座板１もその外形が手摺ブラケット２の外形と同一方向に揃って延長するように介在されており、全体としてこのような各部材の配置が手摺桿Ｒに作用する外力を合理的に設置面Ｆに伝達する機能上の点からも、また美観の点からも望ましい。このような場合に、座板１を手摺ブラケット２の外形に対し同一方向に揃って延長するように両部材自体が設定されるようになっていれば、手摺ブラケット２と座板１とをいちいち調整して位置を設定する必要がなく、手摺ブラケット２の設置面への取付作業を容易に行うことができる。一方図６にも建造物の階段箇所が示され、階段Ｓに沿う壁面等の設置面Ｆには座板１，１…を介して固着された手摺ブラケット２，２…に手摺桿Ｒが取付けられている。この設置状態によれば、各手摺ブラケットは２はその外形が手摺桿Ｒの長さ方向と垂直な傾斜した方向に延びているが、円形をなす各座板１はヘヤライン仕上げによるヘヤライン３が表面に形成されており、美観上の点からヘヤライン３が手摺ブラケット２の傾斜方向とは異なる上下方向に向けられるように座板１を装着することが通常行われている。そのような場合にいちいち他種類の部材を使用することは、部品点数が増加して設置費用が増加することになる。そこで本発明では、図５で使用されるのと同じ手摺ブラケット２を使用して図６に示す事態にも適用可能となるようにしたものである。
【０００９】
図１には、本発明で使用される所定の構造を有する手摺ブラケット２とこの手摺ブラケット２に適合する２種類の座板１である第一座板１ａと第二座板１ｂとが示されている。図４にも示されるように、手摺ブラケット２の平面状をなす基部底面４には固定ボルト用透孔５を内包すると共に、平面上で固定ボルト用透孔５の軸線を中心とする所定半径の円周と軸線の中心から離れた位置を中心とする同半径の円周とこの２個の円周を結ぶ２接線とが描く小判状凹陥部６が凹設されている。また手摺ブラケット２と固定的な方向での設定を意図する第一座板１ａは、小判状凹陥部６に対応する小判形の底面を有すると共に固定ボルト用透孔５に連通する第一通孔７が穿設された小判状突起部８を具備する。したがって第一座板１ａの小判状突起部８を手摺ブラケット２の小判状凹陥部６に嵌合して第一座板１ａと手摺ブラケット２とを設定すれば、両者は平面上の移動も回転も制限された固定的な設定状態となり、図２に示されるように、この設定状態で建造物の設置面Ｆに固着されたアンカーボルト９について第一座板１ａの第一通孔７および手摺ブラケット２の固定ボルト用透孔５を挿通してナット１０を締付ければ、第一座板１ａと手摺ブラケット２とが固定的な設定状態で設置面Ｆに固着される。第一座板１ａの小判状突起部８を手摺ブラケット２の小判状凹陥部６に嵌合すると自ずから固定的な設定状態を得ることができるから付加的な調整作業なしに固着作業を遂行できる。
【００１０】
次に手摺ブラケット２と回転位置調節可能な設定を意図する第二座板１ｂは、手摺ブラケット２の固定ボルト用透孔５の軸線を中心とする所定半径の円形に対応する円形底面を有すると共に固定ボルト用透孔５に連通する第二通孔１１が穿設された円筒状突起部１２を具備する。したがって第二座板１ｂの円筒状突起部１２を手摺ブラケット２の小判状凹陥部６に嵌合すると、第二座板１ｂは手摺ブラケット２との固定ボルト用透孔５の軸線を中心に回転可能な状態となる。即ち第二座板１ｂに対して手摺ブラケット２は、平面上の移動設定は制限されるが回転は許容されるから、手摺ブラケット２の方向に対して自由な方向で第二座板１ｂを設定することができる。手摺ブラケット２の設置にあたっては、図３に示されるように、各手摺ブラケット２の方向に対してそれぞれ第二座板１ｂの方向を設定した状態で、建造物の設置面Ｆに固着されたアンカーボルト９について第二座板１ｂの第二通孔１１および手摺ブラケット２の固定ボルト用透孔５を挿通してしてナット１０を締付ければ、第一座板１ａと手摺ブラケット２とが回転位置を調節した状態で設置面Ｆに固着される。手摺ブラケット２の小判状凹陥部６の構造から、固定的な設定を行った同一構造の手摺ブラケット２を使用するにも拘らず、回転位置を調節可能にした設定が可能になるために、部品点数を増加させることなく、多数のブラケット設置個所で安価な施工を行うことができる。
【００１１】
前記した実施例では、手摺ブラケット２の平面状をなす基部底面４には、固定ボルト用透孔５を内包すると共に、平面上で固定ボルト用透孔５の軸線を中心とする所定半径の円周と中心から離れた位置を中心とする同半径の円周とこの２個の円周を結ぶ２接線とが描く小判状凹陥部６が凹設されたものであり、又第一座板１ａは小判状凹陥部６に対応する小判形の底面を有すると共に固定ボルト用透孔５に連通する第一通孔７が穿設され、小判状凹陥部６に嵌合しうる小判状突起部８を具備するものとされている。しかしながら第一座板１ａに対しては、手摺ブラケット２の平面上の移動および回転が制限され、また第二座板１ｂに対しては、手摺ブラケット２の平面上の移動設定は制限されるが回転は許容される設定を得るためには、必ずしも小判状凹陥部６や小判状突起部８を採用する必要はない。即ち、手摺ブラケット２の平面状をなす基部底面４には、固定ボルト用透孔５を内包すると共に、平面上で固定ボルト用透孔５の軸線を中心とする所定半径の円周とこの円周から外方に膨出する多角形やその他の形状の膨出面とが描く膨出部付円筒内包凹陥部が凹設されたものとし、また第一座板１ａは、この膨出部付円筒内包凹陥部に対応する膨出面付円形の底面を有すると共に固定ボルト用透孔５に連通する第一通孔７が穿設された膨出部付円筒内包突起部を具備する第一座板の膨出部付円筒内包突起部を具備するものとし、第二座板１ｂは前記実施例と同様に、固定ボルト用透孔５の軸線を中心とする所定半径の円形に対応する円形底面を有すると共に固定ボルト用透孔５に連通する第二通孔１１が穿設された円筒状突起部１２を具備するものとすれば、前記した本発明の目的を達成し、本発明の効果を奏することができる。
【図面の簡単な説明】
【００１２】
【図１】手摺ブラケットと第一座板と第二座板を示す斜視図である。
【図２】第一座板を使用した手摺ブラケットの設置状態を示す縦断面図である。
【図３】第二座板を使用した手摺ブラケットの設置状態を示す縦断面図である。
【図４】手摺ブラケットの側面図である。
【図５】手摺ブラケットと座板との配置の一例を示す説明用側面図である。
【図６】手摺ブラケットと座板との配置の他例を示す説明用側面図である。
【符号の説明】
【００１３】
１ａ  第一座板
１ｂ  第二座板
２  手摺ブラケット
４  基部底面
５  固定ボルト用透孔
６  小判状凹陥部
７  第一通孔
８  小判状突起部
１１  第二通孔
１２  円筒状突起部
【図１】
2006241814.tif 000003
【図２】
2006241814.tif 000004
【図３】
2006241814.tif 000005
【図４】
2006241814.tif 000006
【図５】
2006241814.tif 000007
【図６】
2006241814.tif 000008